【手続補正書】
【提出日】平成17年12月16日(2005.12.16)
【手続補正１】
【補正対象書類名】明細書
【補正対象項目名】特許請求の範囲
【補正方法】変更
【補正の内容】
【特許請求の範囲】
【請求項１】  授業、講義、講演のうち少なくともひとつを含む教材を内容とする映像音声信号が入力され、前記映像音声信号を一斉送信するとともに、前記映像音声信号に含まれる情報をデジタルデータに変換して要求があったときに個別送信する教材送信装置と、前記教材送信装置から一斉送信された映像音声信号を受信して外部の装置に出力し、または、前記変換で得られたデジタルデータを前記教材送信装置に要求して前記教材送信装置から受信し、受信したデジタルデータを復号して前記外部の装置に出力する教材受信装置とを備え、前記教材送信装置は、前記入力された映像音声信号を分配する映像音声信号分配手段と、前記映像音声信号分配手段によって分配された映像音声信号を複数の前記教材受信装置に一斉送信する映像音声信号送信手段と、前記映像音声信号分配手段によって分配された映像音声信号をデジタルデータに変換して教材データを生成する映像音声符号化手段と、前記映像音声符号化手段によって生成された教材データを記憶する教材データ蓄積手段と、前記教材データ蓄積手段に記憶した教材データを前記教材受信装置からの要求に応じて読み出し、前記教材受信装置に個別送信する教材データ送信手段と、前記教材データ蓄積手段に記憶された教材データに基づいて教材リストを生成する教材リスト生成手段と、前記教材リスト生成手段によって生成された教材リストを記憶する教材リスト蓄積手段と、前記教材リスト蓄積手段に記憶した教材リストを前記教材送信装置からの要求に応じて読み出し、前記教材受信装置に個別送信する教材リスト送信手段と、前記教材受信装置との間でなされる個別送信を含む通信を制御する通信制御手段とを有し、前記教材受信装置は、前記教材送信装置から一斉送信された映像音声信号を受信する映像音声信号受信手段と、前記教材送信装置との通信を制御する通信制御手段と、前記教材リストの送信を要求する要求信号を生成し前記通信制御手段経由で前記教材送信装置に送信する教材リスト要求手段と、前記教材送信装置によって送信された教材リストを受信して前記外部の装置に出力する教材リスト出力手段と、ユーザの入力に応じて前記教材リスト中の教材を要求する信号を生成し前記通信制御手段経由で前記教材送信装置に送信する教材選択手段と、前記教材送信装置によって送信された教材データを受信し、復号して映像音声信号を生成する映像音声復号手段と、前記映像音声信号受信手段が受信した映像音声信号または前記映像音声復号手段によって生成された映像音声信号を前記外部の装置に出力する映像音声信号切替手段とを有することを特徴とする学習支援システム。
【請求項２】  授業、講義、講演のうち少なくともひとつを含む教材を内容とする映像音声信号が入力され、前記映像音声信号を一斉送信するとともに、前記映像音声信号に含まれる情報をデジタルデータに変換して要求があったときに個別送信する教材送信装置と、前記教材送信装置から一斉送信された映像音声信号を受信して外部の装置に出力し、または、前記変換で得られたデジタルデータを前記教材送信装置に要求して前記教材送信装置から受信し、受信したデジタルデータを復号して前記外部の装置に出力する教材受信装置とを備え、前記教材送信装置は、前記入力された映像音声信号を分配する映像音声信号分配手段と、前記映像音声信号分配手段によって分配された映像音声信号を複数の前記教材受信装置に一斉送信する映像音声信号送信手段と、前記映像音声信号分配手段によって分配された映像音声信号をデジタルデータに変換して教材データを生成する映像音声符号化手段と、前記映像音声符号化手段によって生成された教材データを記憶する教材データ蓄積手段と、前記教材データ蓄積手段に記憶した教材データを前記教材受信装置からの要求に応じて読み出し、前記教材受信装置に個別送信する教材データ送信手段と、前記教材受信装置との間でなされる個別送信を含む通信を制御する通信制御手段とを有し、前記教材受信装置は、前記教材送信装置から一斉送信された映像音声信号を受信する映像音声信号受信手段と、前記教材送信装置との通信を制御する通信制御手段と、ユーザの入力に応じて教材を要求する信号を生成し前記通信制御手段経由で前記教材送信装置に送信する教材データ要求手段と、前記教材送信装置によって送信された教材データを受信し、復号して映像音声信号を生成する映像音声復号手段と、前記映像音声信号受信手段が受信した映像音声信号または前記映像音声復号手段によって生成された映像音声信号を前記外部の装置に出力する映像音声信号切替手段とを有することを特徴とする学習支援システム。
【請求項３】  前記教材データ送信手段は、送信される教材データの伝送速度を速くして前記教材受信装置に送信することが可能であり、前記教材受信装置は、さらに、前記映像音声復号手段によって復号された映像音声信号に間引き処理を施して高速再生用の映像音声信号を生成する映像音声高速再生手段を有することを特徴とする請求項２に記載の学習支援システム。
【請求項４】  授業、講義、講演のうち少なくともひとつを含む教材を内容とする映像音声信号が入力され、前記映像音声信号を一斉送信するとともに、前記映像音声信号に含まれる情報をデジタルデータに変換して要求があったときに個別送信する教材送信装置と、前記教材送信装置から一斉送信された映像音声信号を受信して外部の装置に出力し、または、前記変換で得られたデジタルデータを前記教材送信装置に要求して前記教材送信装置から受信し、受信したデジタルデータを復号して前記外部の装置に出力する教材受信装置とを備え、前記教材送信装置は、前記入力された映像音声信号を分配する映像音声信号分配手段と、前記映像音声信号分配手段によって分配された映像音声信号を複数の前記教材受信装置に一斉送信する映像音声信号送信手段と、前記映像音声信号分配手段によって分配された映像音声信号をデジタルデータに変換して教材データを生成する映像音声符号化手段と、前記映像音声符号化手段によって生成された教材データを記憶する教材データ蓄積手段と、前記教材データ蓄積手段に記憶した教材データを前記教材受信装置からの要求に応じて読み出して前記教材受信装置に個別送信する教材ファイル送信手段と、前記教材受信装置との間でなされる個別送信を含む通信を制御する通信制御手段とを有し、前記教材受信装置は、前記教材送信装置から一斉送信された映像音声信号を受信する映像音声信号受信手段と、前記教材送信装置との通信を制御する通信制御手段と、前記教材送信装置の教材データ蓄積手段に記憶された教材を要求する信号を生成し前記通信制御手段経由で前記教材送信装置に送信する教材要求手段と、前記教材送信装置の教材ファイル送信手段から送信された教材データを受信して記憶する教材ファイル蓄積手段と、前記教材ファイル蓄積手段に記憶された教材データに基づいて教材リストを生成し、前記外部の装置に出力する教材リスト生成手段と、ユーザの入力に応じて前記教材ファイル蓄積手段に記憶された教材データを選択する信号を生成する教材選択手段と、前記教材選択手段が生成した信号に応じて前記教材ファイル蓄積手段に記憶された教材データを読み出し、読み出した教材データを復号して映像音声信号を生成する映像音声復号手段と、前記映像音声信号受信手段が受信した映像音声信号または前記映像音声復号手段によって生成された映像音声信号を前記外部の装置に出力する映像音声信号切替手段とを有することを特徴とする学習支援システム。
【請求項５】  授業、講義、講演のうち少なくともひとつを含む教材を内容とする映像音声信号が入力され、前記映像音声信号をデジタルデータに変換して一斉送信するとともに、前記デジタルデータを要求があったときに個別送信する教材送信装置と、前記教材送信装置から一斉送信されたデジタルデータを受信して復調し外部の装置に出力し、または、前記個別送信されたデジタルデータを前記教材送信装置に要求して前記教材送信装置から受信し、受信したデジタルデータを復号して前記外部の装置に出力する教材受信装置とを備え、前記教材送信装置は、前記入力された映像音声信号をデジタルデータに変換して教材データを生成し分配する映像音声符号化手段と、前記映像音声符号化手段によって分配されたデジタルデータを複数の前記教材受信装置に一斉送信するライブ送信手段と、前記映像音声符号化手段によって生成された教材データを記憶する教材データ蓄積手段と、前記教材データ蓄積手段に記憶した教材データを前記教材受信装置からの要求に応じて読み出し、前記教材受信装置に個別送信する教材データ送信手段と、前記教材データ蓄積手段に記憶された教材データに基づいて教材リストを生成する教材リスト生成手段と、前記教材リスト生成手段によって生成された教材リストを記憶する教材リスト蓄積手段と、前記教材リスト蓄積手段に記憶した教材リストを前記教材送信装置からの要求に応じて読み出し、前記教材受信装置に個別送信する教材リスト送信手段と、前記教材受信装置との間でなされる一斉送信および個別送信を含む通信を制御する通信制御手段とを有し、前記教材受信装置は、前記教材送信装置との通信を制御する通信制御手段と、前記教材送信装置から一斉送信されたデジタルデータを受信して復号し前記映像音声信号を生成するライブ映像音声復号手段と、前記教材リストの送信を要求する要求信号を生成し前記通信制御手段経由で前記教材送信装置に送信する教材リスト要求手段と、前記教材送信装置によって送信された教材リストを受信して前記外部の装置に出力する教材リスト出力手段と、ユーザの入力に応じて前記教材リスト中の教材を要求する信号を生成し前記通信制御手段経由で前記教材送信装置に送信する教材要求手段と、前記教材送信装置によって送信された教材データを受信し、復号して映像音声信号を生成する映像音声復号手段と、前記ライブ映像音声復号手段が復号して生成した映像音声信号または前記映像音声復号手段によって生成された映像音声信号を前記外部の装置に出力する映像音声信号切替手段とを有することを特徴とする学習支援システム。
【手続補正２】
【補正対象書類名】明細書
【補正対象項目名】０００７
【補正方法】変更
【補正の内容】
【０００７】
【課題を解決するための手段】
本発明の学習支援システムは、授業、講義、講演のうち少なくともひとつを含む教材を内容とする映像音声信号が入力され、前記映像音声信号を一斉送信するとともに、前記映像音声信号に含まれる情報をデジタルデータに変換して要求があったときに個別送信する教材送信装置と、前記教材送信装置から一斉送信された映像音声信号を受信して外部の装置に出力し、または、前記変換で得られたデジタルデータを前記教材送信装置に要求して前記教材送信装置から受信し、受信したデジタルデータを復号して前記外部の装置に出力する教材受信装置とを備え、前記教材送信装置は、前記入力された映像音声信号を分配する映像音声信号分配手段と、前記映像音声信号分配手段によって分配された映像音声信号を複数の前記教材受信装置に一斉送信する映像音声信号送信手段と、前記映像音声信号分配手段によって分配された映像音声信号をデジタルデータに変換して教材データを生成する映像音声符号化手段と、前記映像音声符号化手段によって生成された教材データを記憶する教材データ蓄積手段と、前記教材データ蓄積手段に記憶した教材データを前記教材受信装置からの要求に応じて読み出し、前記教材受信装置に個別送信する教材データ送信手段と、前記教材データ蓄積手段に記憶された教材データに基づいて教材リストを生成する教材リスト生成手段と、前記教材リスト生成手段によって生成された教材リストを記憶する教材リスト蓄積手段と、前記教材リスト蓄積手段に記憶した教材リストを前記教材送信装置からの要求に応じて読み出し、前記教材受信装置に個別送信する教材リスト送信手段と、前記教材受信装置との間でなされる個別送信を含む通信を制御する通信制御手段とを有し、前記教材受信装置は、前記教材送信装置から一斉送信された映像音声信号を受信する映像音声信号受信手段と、前記教材送信装置との通信を制御する通信制御手段と、前記教材リストの送信を要求する要求信号を生成し前記通信制御手段経由で前記教材送信装置に送信する教材リスト要求手段と、前記教材送信装置によって送信された教材リストを受信して前記外部の装置に出力する教材リスト出力手段と、ユーザの入力に応じて前記教材リスト中の教材を要求する信号を生成し前記通信制御手段経由で前記教材送信装置に送信する教材選択手段と、前記教材送信装置によって送信された教材データを受信し、復号して映像音声信号を生成する映像音声復号手段と、前記映像音声信号受信手段が受信した映像音声信号または前記映像音声復号手段によって生成された映像音声信号を前記外部の装置に出力する映像音声信号切替手段とを備えた構成を有している。
この構成により、映像音声を一斉送信すると同時に符号化を行い、ハードディスクなどの教材データ蓄積手段に記録して、教材リストを自動生成するようになっているため、授業時間外に別途教材を記録することなしで自習用の教材を生成することが可能な学習支援システムを実現することができる。
【手続補正３】
【補正対象書類名】明細書
【補正対象項目名】０００８
【補正方法】変更
【補正の内容】
【０００８】
また、本発明の装置は、授業、講義、講演のうち少なくともひとつを含む教材を内容とする映像音声信号が入力され、前記映像音声信号を一斉送信するとともに、前記映像音声信号に含まれる情報をデジタルデータに変換して要求があったときに個別送信する教材送信装置と、前記教材送信装置から一斉送信された映像音声信号を受信して外部の装置に出力し、または、前記変換で得られたデジタルデータを前記教材送信装置に要求して前記教材送信装置から受信し、受信したデジタルデータを復号して前記外部の装置に出力する教材受信装置とを備え、前記教材送信装置は、前記入力された映像音声信号を分配する映像音声信号分配手段と、前記映像音声信号分配手段によって分配された映像音声信号を複数の前記教材受信装置に一斉送信する映像音声信号送信手段と、前記映像音声信号分配手段によって分配された映像音声信号をデジタルデータに変換して教材データを生成する映像音声符号化手段と、前記映像音声符号化手段によって生成された教材データを記憶する教材データ蓄積手段と、前記教材データ蓄積手段に記憶した教材データを前記教材受信装置からの要求に応じて読み出し、前記教材受信装置に個別送信する教材データ送信手段と、前記教材受信装置との間でなされる個別送信を含む通信を制御する通信制御手段とを有し、前記教材受信装置は、前記教材送信装置から一斉送信された映像音声信号を受信する映像音声信号受信手段と、前記教材送信装置との通信を制御する通信制御手段と、ユーザの入力に応じて教材を要求する信号を生成し前記通信制御手段経由で前記教材送信装置に送信する教材データ要求手段と、前記教材送信装置によって送信された教材データを受信し、復号して映像音声信号を生成する映像音声復号手段と、前記映像音声信号受信手段が受信した映像音声信号または前記映像音声復号手段によって生成された映像音声信号を前記外部の装置に出力する映像音声信号切替手段とを備えた構成を有している。
この構成により、映像音声を一斉送信中に遅刻者が教材受信装置を起動したときに、教材データ蓄積手段に記録中の教材データを受信するように構成されているため、遅刻者も教材の先頭から視聴することが可能な学習支援システムを実現することができる。
【手続補正４】
【補正対象書類名】明細書
【補正対象項目名】０００９
【補正方法】変更
【補正の内容】
【０００９】
また、本発明の装置は、授業、講義、講演のうち少なくともひとつを含む教材を内容とする映像音声信号が入力され、前記映像音声信号を一斉送信するとともに、前記映像音声信号に含まれる情報をデジタルデータに変換して要求があったときに個別送信する教材送信装置と、前記教材送信装置から一斉送信された映像音声信号を受信して外部の装置に出力し、または、前記変換で得られたデジタルデータを前記教材送信装置に要求して前記教材送信装置から受信し、受信したデジタルデータを復号して前記外部の装置に出力する教材受信装置とを備え、前記教材送信装置は、前記入力された映像音声信号を分配する映像音声信号分配手段と、前記映像音声信号分配手段によって分配された映像音声信号を複数の前記教材受信装置に一斉送信する映像音声信号送信手段と、前記映像音声信号分配手段によって分配された映像音声信号をデジタルデータに変換して教材データを生成する映像音声符号化手段と、前記映像音声符号化手段によって生成された教材データを記憶する教材データ蓄積手段と、前記教材データ蓄積手段に記憶した教材データを前記教材受信装置からの要求に応じて読み出し、前記教材受信装置に個別送信する教材データ送信手段と、前記教材受信装置との間でなされる個別送信を含む通信を制御する通信制御手段とを有し、前記教材受信装置は、前記教材送信装置から一斉送信された映像音声信号を受信する映像音声信号受信手段と、前記教材送信装置との通信を制御する通信制御手段と、ユーザの入力に応じて教材を要求する信号を生成し前記通信制御手段経由で前記教材送信装置に送信する教材データ要求手段と、前記教材送信装置によって送信された教材データを受信し、復号して映像音声信号を生成する映像音声復号手段と、前記映像音声信号受信手段が受信した映像音声信号または前記映像音声復号手段によって生成された映像音声信号を前記外部の装置に出力する映像音声信号切替手段とを有し、前記教材データ送信手段は、送信される教材データの伝送速度を速くして前記教材受信装置に送信することが可能であり、前記教材受信装置は、さらに、前記映像音声復号手段によって復号された映像音声信号に間引き処理を施して高速再生用の映像音声信号を生成する映像音声高速再生手段を備えた構成を有している。
この構成により、映像音声を一斉送信中に遅刻者が教材受信装置を起動したときに、教材データ蓄積手段に記録中の教材データを本来の再生速度よりも高速に再生するように構成されているため、遅刻者は教材の先頭から短時間で視聴をおこない、一斉送信中の映像教材を視聴している学習者の進捗に追いつくことが可能な学習支援システムを実現することができる。
【手続補正５】
【補正対象書類名】明細書
【補正対象項目名】００１０
【補正方法】変更
【補正の内容】
【００１０】
また、本発明の装置は、授業、講義、講演のうち少なくともひとつを含む教材を内容とする映像音声信号が入力され、前記映像音声信号を一斉送信するとともに、前記映像音声信号に含まれる情報をデジタルデータに変換して要求があったときに個別送信する教材送信装置と、前記教材送信装置から一斉送信された映像音声信号を受信して外部の装置に出力し、または、前記変換で得られたデジタルデータを前記教材送信装置に要求して前記教材送信装置から受信し、受信したデジタルデータを復号して前記外部の装置に出力する教材受信装置とを備え、前記教材送信装置は、前記入力された映像音声信号を分配する映像音声信号分配手段と、前記映像音声信号分配手段によって分配された映像音声信号を複数の前記教材受信装置に一斉送信する映像音声信号送信手段と、前記映像音声信号分配手段によって分配された映像音声信号をデジタルデータに変換して教材データを生成する映像音声符号化手段と、前記映像音声符号化手段によって生成された教材データを記憶する教材データ蓄積手段と、前記教材データ蓄積手段に記憶した教材データを前記教材受信装置からの要求に応じて読み出して前記教材受信装置に個別送信する教材ファイル送信手段と、前記教材受信装置との間でなされる個別送信を含む通信を制御する通信制御手段とを有し、前記教材受信装置は、前記教材送信装置から一斉送信された映像音声信号を受信する映像音声信号受信手段と、前記教材送信装置との通信を制御する通信制御手段と、前記教材送信装置の教材データ蓄積手段に記憶された教材を要求する信号を生成し前記通信制御手段経由で前記教材送信装置に送信する教材ファイル要求手段と、前記教材送信装置の教材ファイル送信手段から送信された教材データを受信して記憶する教材ファイル蓄積手段と、前記教材ファイル蓄積手段に記憶された教材データに基づいて教材リストを生成し、前記外部の装置に出力する教材リスト生成手段と、ユーザの入力に応じて前記教材ファイル蓄積手段に記憶された教材データを選択する信号を生成する教材選択手段と、前記教材選択手段が生成した信号に応じて前記教材ファイル蓄積手段に記憶された教材データを読み出し、読み出した教材データを復号して映像音声信号を生成する映像音声復号手段と、前記映像音声信号受信手段が受信した映像音声信号または前記映像音声復号手段によって生成された映像音声信号を前記外部の装置に出力する映像音声信号切替手段とを有している。
この構成により、映像音声を一斉送信中に遅刻者が教材受信装置を起動したときに、すでに一斉送信済みの映像音声と同一内容の教材ファイルを受信して、教材受信装置内の蓄積装置に記録するように構成されているため、遅刻者が一斉送信済みの教材を自由に視聴することが可能な学習支援システムを実現することができる。
【手続補正６】
【補正対象書類名】明細書
【補正対象項目名】００１１
【補正方法】変更
【補正の内容】
【００１１】
また、本発明の装置は、授業、講義、講演のうち少なくともひとつを含む教材を内容とする映像音声信号が入力され、前記映像音声信号をデジタルデータに変換して一斉送信するとともに、前記デジタルデータを要求があったときに個別送信する教材送信装置と、前記教材送信装置から一斉送信されたデジタルデータを受信して復調し外部の装置に出力し、または、前記個別送信されたデジタルデータを前記教材送信装置に要求して前記教材送信装置から受信し、受信したデジタルデータを復号して前記外部の装置に出力する教材受信装置とを備え、前記教材送信装置は、前記入力された映像音声信号をデジタルデータに変換して教材データを生成し分配する映像音声符号化手段と、前記映像音声符号化手段によって分配されたデジタルデータを複数の前記教材受信装置に一斉送信するライブ送信手段と、前記映像音声符号化手段によって生成された教材データを記憶する教材データ蓄積手段と、前記教材データ蓄積手段に記憶した教材データを前記教材受信装置からの要求に応じて読み出し、前記教材受信装置に個別送信する教材データ送信手段と、前記教材データ蓄積手段に記憶された教材データに基づいて教材リストを生成する教材リスト生成手段と、前記教材リスト生成手段によって生成された教材リストを記憶する教材リスト蓄積手段と、前記教材リスト蓄積手段に記憶した教材リストを前記教材送信装置からの要求に応じて読み出し、前記教材受信装置に個別送信する教材リスト送信手段と、前記教材受信装置との間でなされる一斉送信および個別送信を含む通信を制御する通信制御手段とを有し、前記教材受信装置は、前記教材送信装置との通信を制御する通信制御手段と、前記教材送信装置から一斉送信されたデジタルデータを受信して復号し前記映像音声信号を生成するライブ映像音声復号手段と、前記教材リストの送信を要求する要求信号を生成し前記通信制御手段経由で前記教材送信装置に送信する教材リスト要求手段と、前記教材送信装置によって送信された教材リストを受信して前記外部の装置に出力する教材リスト出力手段と、ユーザの入力に応じて前記教材リスト中の教材を要求する信号を生成し前記通信制御手段経由で前記教材送信装置に送信する教材要求手段と、前記教材送信装置によって送信された教材データを受信し、復号して映像音声信号を生成する映像音声復号手段と、前記ライブ映像音声復号手段が復号して生成した映像音声信号または前記映像音声復号手段によって生成された映像音声信号を前記外部の装置に出力する映像音声信号切替手段とを備えた構成を有している。
この構成により、映像音声を符号化して一斉送信する場合においてもハードディスクなどの教材データ蓄積手段に記録して、インデックスを自動生成するように構成されているため、授業時間外に別途教材を記録することなしで、自習用の教材が生成することが可能な学習支援システムを実現することができる。
【手続補正７】
【補正対象書類名】明細書
【補正対象項目名】００１３
【補正方法】変更
【補正の内容】
【００１３】
上記の教材送信装置１００は、さらに、映像音声入力装置３００から入力された映像音声信号を分配する映像音声信号分配手段１０１、映像音声信号分配手段１０１によって分配された一方の映像音声信号を教材受信装置２００に送信する映像音声信号送信手段１０２、映像音声信号分配手段１０１によって分配されたもう一方の映像音声信号をデジタルデータに変換して映像データおよび音声データの多重化データ（以下、教材データという。）を生成する映像音声符号化手段１０３、映像音声符号化手段１０３が生成した教材データを記憶する教材データ蓄積手段１０４、教材データをストリームとして送信する教材データ送信手段としてのストリーム送信手段１０５、教材データ蓄積手段１０４に記憶されている教材データの教材の名称に基づいて教材リストを生成する教材リスト生成手段１０６、上記の教材リストを記憶しておく教材リスト蓄積手段１０７、要求に応じて教材リスト蓄積手段１０７に記憶された教材リストを教材受信装置２００に送信する教材リスト送信手段１０８、およびストリーム送信手段１０５または教材リスト送信手段１０８が行う送信を制御する通信制御手段１０９を含むように構成される。なお、映像音声符号化手段１０３は、映像音声信号をデジタルデータに変換して得られる教材データを一定のデータ長のデータとして分割するのでもよい。